(57)【要約】  【課題】圧縮機を囲う断熱材の剛性が高く、圧縮機の振動が断熱カバーに伝わるので、騒音および異音が発生するという課題を有していた。  本発明は、上記従来の課題を解決するもので、圧縮機を断熱すると共に、騒音振動を低減した自動販売機を提供することを目的とする。  【解決手段】圧縮機１３の外周形状に沿って所定の隙間を設けて配設される断熱カバー３１と、断熱カバー３１の振動を抑制する防振ゴム３８を備え、圧縮機１３と断熱カバー３１の隙間に防振ゴム３８を配設したものであり、圧縮機１３からの振動を防振ゴム３８で軽減すると共に、防振ゴム３８により断熱カバー３１と圧縮機１３の間の隙間が保持されるため、断熱カバー３１が圧縮機１３に直接接触することがなく断熱カバー３１と圧縮機１３が当たって異音が発生するのを防止できる。【選択図】図３
2008117173.tif 000002
【特許請求の範囲】
【請求項１】
商品を収納するホット／コールド切替室を有する自動販売機において、前記ホット／コールド切替室を冷却または加温する冷却加温サイクルに接続された圧縮機と、前記圧縮機の外周形状に沿って配設される断熱カバーと、前記断熱カバーの振動を抑制する防振ゴムとを備え、前記圧縮機と前記断熱カバーの隙間に前記防振ゴムを配設したことを特徴とする自動販売機。
【請求項２】
前記圧縮機の電装ボックスの近傍を切欠いてなる断熱カバーを配設したことを特徴とする請求項１に記載の自動販売機。
【請求項３】
圧縮機を断熱カバーで囲った後に、前記断熱カバーの外表面を帯状弾性体で巻くことにより、前記断熱カバーを圧縮機に固定することを特徴とする請求項１または２に記載の自動販売機。
【発明の詳細な説明】
【技術分野】
【０００１】
本発明は、缶飲料などの商品を、ヒートポンプ方式により、冷却若しくは加温して販売する自動販売機に関するものである。
【背景技術】
【０００２】
従来、この種の自動販売機は、省エネを目的にヒートポンプで加温するシステムが提案されている（特許文献１参照）。
【０００３】
図５は、特許文献１に記載された従来の自動販売機の機械室配置図を示すものである。図５に示すように、機械室１の内部には、圧縮機２、室外熱交換器３、放熱ファン４が設置されている。そして、圧縮機２を囲うように断熱材５が配設されている。また、圧縮機２の横に独立した風路６を構成し、風路６の内部に室外熱交換器３と放熱ファン４を配置したものである。
【０００４】
以上のように構成された自動販売機について、以下その動作を説明する。
【０００５】
まず、放熱ファン４は、風路６内に風を流して、室外熱交換器３と空気の間で熱交換を行わせる。放熱ファン４と室外熱交換器３は風路６内に収納されているため、放熱ファン４による風は風路６内を流れ、風路６外に配置された圧縮機２が空冷されることはなく、圧縮機２からの放熱を抑制することができる。その結果、室内熱交換器の凝縮温度が上昇し、負荷が同じであれば、圧縮機２の運転率を減少させることができ、消費電力量が低減し、省エネが図れる。
【０００６】
このとき、風路６を構成していなければ、放熱ファン４による風は、室外熱交換器３と空気との間で熱交換させると共に、圧縮機２を空冷することになり、圧縮機２からの放熱が促進されて、室内熱交換器の凝縮温度が低下し、加温効率が低下する。
【０００７】
また、圧縮機上面形状に合わせて発泡成形した断熱材５で圧縮機２を囲うことにより、圧縮機２の放熱を抑制することができる。断熱材５としては、断熱性が高く熱変形の小さなポリプロピレン発泡体（例えば、ＪＳＰ製ＥＰＰ−１５Ｐ）が望ましく、他の断熱材である発泡スチロールでは、７０℃以上の雰囲気下での熱変形の問題が発生し、ウレタンでは、耐熱性は高くなるが、吸湿性を有するという問題が発生するため、好ましくない。
【０００８】
以上のように、従来においては、圧縮機２の横に独立した風路６を構成し、風路６の内部に室外熱交換器３と放熱ファン４を配置したものであり、放熱ファン４による風で圧縮機２が空冷されることはなく、ヒートポンプ加温時に圧縮機２からの放熱を抑制して、室内熱交換器の凝縮温度を上昇させる。その結果、負荷が同じであれば、圧縮機２の運転率を減少させることができ、消費電力量が低減し、省エネが図れる。
【０００９】
また、圧縮機２を囲う断熱材５を、ポリプロピレンで発泡成形するため、断熱性が高く熱変形が小さくなり、外形寸法の増大を抑えながら圧縮機２の放熱を抑制することができる。
【特許文献１】特開２００６−４２５４号公報
【発明の開示】
【発明が解決しようとする課題】
【００１０】
しかしながら、上記従来の構成では、圧縮機を囲う断熱材の剛性が高く、圧縮機の振動が断熱カバーに伝わるので、騒音および異音が発生するという課題を有していた。
【００１１】
本発明は、上記従来の課題を解決するもので、圧縮機を断熱すると共に、騒音振動を低減した自動販売機を提供することを目的とする。
【課題を解決するための手段】
【００１２】
上記従来の課題を解決するために、本発明の自動販売機は、圧縮機の外周形状に沿って配設される断熱カバーと、断熱カバーの振動を抑制する防振ゴムとを備え、圧縮機と断熱カバーの隙間に防振ゴムを配設したものである。
【００１３】
これによって、圧縮機からの振動を防振ゴムで軽減すると共に、防振ゴムにより断熱カバーと圧縮機の間の隙間が保持されるため、断熱カバーが圧縮機に直接接触することがなく断熱カバーと圧縮機が当たって異音が発生するのを防止できる。
【発明の効果】
【００１４】
本発明の自動販売機は、圧縮機からの放熱を抑制して加温能力を向上させると共に、防振ゴムにより断熱カバーの振動を低減し、圧縮機と断熱カバーの間の隙間が防振ゴムが介在することにより保持されるので、断熱カバーと圧縮機が当たって異音が発生するのを防止できる。
【発明を実施するための最良の形態】
【００１５】
請求項１に記載の発明は、商品を収納するホット／コールド切替室を有する自動販売機において、前記ホット／コールド切替室を冷却または加温する冷却加温サイクルに接続された圧縮機と、前記圧縮機の外周形状に沿って配設される断熱カバーと、前記断熱カバーの振動を抑制する防振ゴムとを備え、前記圧縮機と前記断熱カバーの隙間に前記防振ゴムを配設したことにより、圧縮機からの振動を防振ゴムに吸収させて断熱カバーの振動を抑制すると共に、断熱カバーと圧縮機の間の隙間が保持されるので、断熱カバーと圧縮機が接触して異音が発生するのを防止することができる。
【００１６】
請求項２に記載の発明は、前記圧縮機の電装ボックスの近傍を切欠いてなる断熱カバーを配設したものであり、電装ボックスと断熱カバーが接触しないようにして、電装ボックスの振動が断熱カバーに伝わって騒音振動が発生するのを防止することができる。
【００１７】
請求項３に記載の発明は、圧縮機を断熱カバーで囲った後に、前記断熱カバーの外表面を帯状弾性体で巻くことにより、前記断熱カバーを圧縮機に固定するものであり、断熱カバーが小幅に揺れることによる騒音振動の発生を防止できる。
【００１８】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１９】
（実施の形態１）
図１は、本発明の実施の形態１における冷却加温システムとそれを用いた自動販売機の冷媒回路図である。図２は、同実施の形態における自動販売機の機械室要部立体図である。図３は、同実施の形態における防振ゴム配置図である。図４は、同実施の形態における帯状弾性体装着図である。
【００２０】
図１から図４において、本発明の自動販売機は、ホット／コールド切替室１０と、コールド室１１と、第ニのコールド室１２からなる貯蔵室を備え、ホット／コールド切替室用圧縮機１３（以下、圧縮機１３という）と、ホット／コールド切替室１０内に設置された室内熱交換器１４と、貯蔵室の外に設置された室外熱交換器１５と、冷却時と加温時に冷媒流路を切替える電磁弁１６ａ、１６ｂ、１６ｃ、１６ｄと、ホット／コールド切替室用膨張機構であるキャピラリチューブ１７ａ、１７ｂと、逆止弁１８ａ、１８ｂと、ドライヤ１９とからなり、ホット／コールド切替室１０の冷却と加温を専用に行う冷却加温システム２０を有するとともに、コールド室用圧縮機２１（以下、圧縮機２１という）と、コールド室１１内に設置された蒸発器２２と、第二のコールド室１２内に設置された第二の蒸発器２３と、コールド室用膨張機構であるキャピラリチューブ２４、第二のキャピラリチューブ２５と、三方弁２６と凝縮器２７からなり、コールド室１１と第二のコールド室１２を専用に冷却する冷却システム２８を有する。
【００２１】
ここで、室外熱交換器１５は、フィンチューブ熱交換器で構成され、冷却加温システム２０と連結し、加温時は蒸発器として、冷却時は凝縮器として作用する。そして、凝縮器２７は、冷却システム２６と連結され、凝縮器として作用する。
【００２２】
そして、室外熱交換器１５と凝縮器２７は、一体型熱交換器として構成され、自動販売機下部に設けた機械室２９のユニットベース３０の前方側に配設されている。
【００２３】
また、圧縮機１３の上方より、断熱カバー３１を被せるとともに、室内熱交換器１４、蒸発器２２、第二の蒸発器２３、室外熱交換器１５にはそれぞれ独立の送風ファン３２、３３、３４、３５が備えられている。
【００２４】
さらに、断熱カバー３１には、圧縮機１３の電装ボックス３６と、接続配管を避けるための切欠３７が、複数箇所設けられている。
【００２５】
また、断熱カバー３１の振動を吸収させるための防振ゴム３８を、圧縮機１３の外表面に配設するとともに、断熱カバー３１の外表面をバネ部材を装着したシリコンゴムからなる帯状弾性体３９で巻いて、断熱カバー３１を圧縮機１３側に付勢しながら固定する。このとき、帯状弾性体３９の両端部をフックで連結させる。
【００２６】
以上のように構成された自動販売機について、以下その動作、作用を説明する。
【００２７】
まず、ホット／コールド切替室１０を冷却する場合、冷媒流路を切替える電磁弁１６ａを開、電磁弁１６ｂを閉、電磁弁１６ｃを閉、電磁弁１６ｄを開とする。そうすることにより、圧縮機１３から吐出された冷媒は、電磁弁１６ａを通って室外熱交換器１５へ供給されて凝縮液化する。
【００２８】
この液冷媒の温度は室外熱交換器１５とほぼ同じ３０〜４０℃となる。室外熱交換器１５から出た液冷媒はドライヤ１９、逆止弁１８ｂを経由してキャピラリチューブ１７ｂに至り、減圧された後、室内熱交換器１４へ供給されて蒸発気化し、ガス冷媒となって電磁弁１６ｄから圧縮機１３へと還流する。室内熱交換器１４の蒸発温度は収納室の設定温度により大きく変化する。
【００２９】
一般に缶飲料などを冷却する場合は設定温度が５〜１０℃であり、室内熱交換器１４の蒸発温度は−１５〜−５℃となる。
【００３０】
また、ホット／コールド切替室１０を加温する場合、冷媒流路を切替える電磁弁１６ａを閉、電磁弁１６ｂを開、電磁弁１６ｃを開、電磁弁１６ｄを閉とする。そうすることによって、図１において矢印で示したように、圧縮機１３から吐出された冷媒は、電磁弁１６ｃを通って室内熱交換器１４へ供給されて凝縮液化する。この液冷媒の温度は収納室の設定温度により大きく変化する。一般に缶飲料などを加温する場合は設定温度が５０〜６０℃であり、室内熱交換器１４の凝縮温度は６０〜８０℃となる。また、圧縮機１３は断熱カバー３１で覆われており、圧縮機１３は空冷されず、加温効率が向上する。
【００３１】
そして、室内熱交換器１４から出た液冷媒は直ぐにキャピラリチューブ１７ａで減圧された後、室外熱交換器１５へ供給されて蒸発気化し、ガス冷媒は電磁弁１６ｂを経て圧縮機１３へ還流する。一般に、外気温が低くなると室外熱交換器１５の蒸発温度を低くする必要があり、特に、外気温が５℃以下になると蒸発温度はマイナス温度にしなければならず、室外熱交換器１５に着霜が発生する。また、外気温が高温多湿になり、室外熱交換器１５の管表面温度やフィン温度が露点温度を下回ると結露が発生する。
【００３２】
しかし、本実施の形態の室外熱交換器１５は、冷却システム２８が稼動すると、室外熱交換器１５と接触して連結されている凝縮器２７が凝縮器として作用し、凝縮器２７のフィン温度は高温になる。そのため、冷却加温システム２０と冷却システム２８が同時に稼動した場合には、フィンを介して熱交換することができるとともに、凝縮器２７により暖められた大気を室外熱交換器１５に吸込ませることができ、０〜１０℃の高温の蒸発温度で冷却加温システム２０を稼動することが可能となる。これにより、凝縮温度６０〜８０℃の厳しい加温条件においても凝縮温度が下がることにより、圧縮機１３の効率向上が図れる。
【００３３】
さらに、冷却加温システム２０の蒸発温度を０℃以上にすることで、室外熱交換器１５の着霜も防止することができる。また、外気温が高温多湿になった場合においても、室外熱交換器１５のフィン温度が露点温度を下回りにくくなり、結露の発生を効果的に抑制することができる。
【００３４】
また、断熱カバー３１と圧縮機１３の隙間にブチルゴム等の防振ゴムを介在させているので、断熱カバー３１の振動を軽減させることができ、防振ゴムにより断熱カバー３１と圧縮機１３の間の隙間が保持されるため、断熱カバー３１が圧縮機１３に直接接触することがなく、断熱カバーと圧縮機が当たって異音が発生するのを防止できる。そして、断熱カバーの断熱材としては、断熱性が高く熱変形の小さなポリプロピレン発泡体が望ましく、他の断熱材である発泡スチロールでは、７０℃以上の雰囲気下での熱変形の問題が発生し、ウレタンでは、耐熱性は高くなるが、吸湿性を有するという問題が発生するため、好ましくない。
【００３５】
さらに、断熱カバー３１の外周を、帯状弾性体３９で巻くことにより、防振ゴム３８を介して断熱カバー３１が圧縮機１３側へと押圧され、断熱カバー３１が圧縮機に固定される。そして、材質の経年変化等による撓みが生じても、帯状弾性体で締め付けているため、緩みが生じることはなく、断熱カバー３１の騒音振動を未然に防止することができる。
【００３６】
また、断熱カバー３１には、圧縮機１３の電装ボックス３６と、接続配管を避けるための切欠３７が、複数箇所設けられており、組立時、断熱カバー３１を圧縮機１３の上方より簡単に被せることができる。さらに、点検修理時にも、機械室２９よりユニットベース３０を引出して、断熱カバー３１を上方に引抜くことで対応でき、作業工数の省力化が図れる。
【００３７】
以上のように、本実施の形態においては、商品を収納するホット／コールド切替室１０を有する自動販売機において、機械室２９に収容される圧縮機１３の外周形状に沿って圧縮機１３と所定の隙間を設けて配設される断熱カバー３１と、断熱カバー３１の振動を抑制する防振ゴム３８を備え、圧縮機１３と断熱カバー３１の隙間に防振ゴム３８を配設したことにより、圧縮機１３からの振動を防振ゴム３８に吸収させて断熱カバー３１の振動を抑制すると共に、断熱カバー３１と圧縮機１３の間の隙間が保持されるので、断熱カバー３１と圧縮機１３が接触して異音が発生するのを防止することができる。
【００３８】
また、圧縮機１３の電装ボックス３６の近傍を切欠いてなる断熱カバー３１を配設したものであり、電装ボックス３６と断熱カバー３１が接触しないようにして、電装ボックス３６の振動が断熱カバー３１に伝わって騒音振動が発生するのを防止することができる。
【００３９】
また、圧縮機１３を断熱カバー３１で囲った後に、断熱カバー３１の外表面を帯状弾性体３９で巻くことにより、緩みを防止しながら断熱カバー３１を圧縮機１３に固定するものであり、断熱カバー３１が小幅に揺れることによる騒音振動の発生を防止できる。
【産業上の利用可能性】
【００４０】
以上のように、本発明にかかる自動販売機は、ヒートポンプ加温時に圧縮機の温度を高温に維持し、加温能力を向上させることが可能となるので、冷温蔵庫等の用途にも適用できる。
【図面の簡単な説明】
【００４１】
【図１】本発明の実施の形態１における冷却加温システムとそれを用いた自動販売機の冷媒回路図
【図２】本発明の実施の形態１における自動販売機の機械室要部立体図
【図３】本発明の実施の形態１における防振ゴム配置図
【図４】本発明の実施の形態１における帯状弾性体装着図
【図５】（ａ）従来の自動販売機の機械室配置図（ｂ）従来の自動販売機の機械室配置図
【符号の説明】
【００４２】
１０  ホット／コールド切替室
１３  圧縮機
２９  機械室
３１  断熱カバー
３６  電装ボックス
３７  切欠
３８  防振ゴム
３９  帯状弾性体
【図５】
2008117173.tif 000003
【図１】
2008117173.tif 000004
【図２】
2008117173.tif 000005
【図３】
2008117173.tif 000006
【図４】
2008117173.tif 000007